(57)【要約】【課題】外部からの制御基板に対する不正アクセスを防止する。【解決手段】前面側が矩形状に開口した略直方体箱状の本体筐体１１と、この本体筐体内に配設されたスロット遊技装置と、本体筐体の前面側開口を開閉自在に覆って本体筐体にヒンジ結合された前扉２とを有してスロットマシンが構成される。そして、前扉の後面に中央制御基板４６が取り付けられており、この中央制御基板の後面を覆うとともに周囲側面を囲む透明な中央制御基板カバー４７が取り付けられている。【選択図】  図１８
2005021439.tif 000002
【特許請求の範囲】
【請求項１】
前面側が矩形状に開口した略直方体箱状の本体筐体と、前記本体筐体内に配設されたスロット遊技装置と、前記本体筐体の前面側開口を開閉自在に覆って前記本体筐体にヒンジ結合された前扉とを有して構成され、前記前扉の後面に制御基板が取り付けられたスロットマシンにおいて、
前記制御基板の後面を覆うとともに周囲側面を囲む透明な保護カバーが取り付けられたことを特徴とするスロットマシンの制御基板保護構造。
【請求項２】
前記前扉における前記制御基板が取り付けられる部材に、前記保護カバーにおける前記制御基板の周囲側面を囲んで延びる脚部の先端を突入嵌合させる係合溝が形成されており、
前記制御基板の後面を覆って前記保護カバーが取り付けられたときに、前記保護カバーの前記脚部の先端が前記係合溝内に突入嵌合するように構成されていることを特徴とする制御基板保護構造。
【発明の詳細な説明】
【０００１】
【発明の属する技術分野】
本発明は、前面側が開口した本体筐体内にスロット遊技装置を配設し、この本体筐体の前面側開口を開閉自在に覆う前扉をヒンジ結合して構成されるスロットマシンに関し、さらに詳しくは前扉の後面に制御基板が取り付けられたスロットマシンに関する。
【０００２】
【従来の技術】
スロットマシンは回転停止可能な三つのリールを有し、メダルを投入してスタートレバーを操作すると三つのリールが回転を開始するので、これらリールに対応した三つのストップボタンを押してリールの回転を停止させ、停止したときに表示窓に表示されるリールの図柄の揃い具合に応じてメダルを払い戻す遊技を行うように構成されている。このようなスロットマシンは従来から種々提案されており、一例を挙げれば、特許文献１に開示のものがある。なお、スロットマシンにおいては、スタートレバーの操作に応じて三つのリールの回転を開始させ、ストップボタンの操作に対応してリールを停止させ、リール停止時に表示窓に表示される図柄のそろい具合に応じてメダルを払い戻し、前扉のレンズ飾りの点灯、点滅制御を行い、スピーカによる音声発生制御を行うために内部に複数の制御基板が配設されている。
【０００３】
【特許文献１】特開２００１−２１２２８７号公報
【０００４】
【発明が解決しようとする課題】
このようなスロットマシンにおいては、外部から針金などを差し込んで不正に制御基板にアクセスしてその制御内容を変更し、例えば、当たり発生確率を高くしたりするような不正が行われるおそれがあるという問題がある。このため、スロットマシンでは筐体内部への不正アクセスを防止する手段を講じるなどされているが、各制御基板においても外部からの不正アクセスを防止できるような構成が求められている。
【０００５】
本発明はこのような問題および要求に鑑みたもので、外部から針金などを挿入して制御基板に対する不正アクセスを行うことができなくなるようなスロットマシンの制御基板保護構造を提供することを目的とする。
【０００６】
【課題を解決するための手段】
上記課題を解決してこのような目的を達成するため、本発明においては、前面側が矩形状に開口した略直方体箱状の本体筐体と、この本体筐体内に配設されたスロット遊技装置と、本体筐体の前面側開口を開閉自在に覆って本体筐体にヒンジ結合された前扉とを有して構成され、前扉の後面に制御基板が取り付けられてスロットマシンが構成され、制御基板の後面を覆うとともに周囲側面を囲む透明な保護カバーが取り付けられている。
【０００７】
このように本発明に係る制御基板保護構造では、制御基板の後面および周囲側面が透明な保護カバーにより覆われているため、外部から筐体内に針金などを挿入しても制御基板の裏面（電子部品が取り付けられ、配線パターンが露出している面）に対する不正アクセスを効果的に防止できる。また、例え、制御基板に対する不正アクセス（例えば、ＲＯＭ交換）がなされても、保護カバーが透明であるため、このような不正アクセスの痕跡を保護カバーを通して簡単に発見でき、迅速な対応処置を講じることができる。
【０００８】
なお、前扉における制御基板が取り付けられる部材に、保護カバーにおける制御基板の周囲側面を囲んで延びる脚部の先端を突入嵌合させる係合溝が形成されており、制御基板の後面を覆って保護カバーが取り付けられたときに、保護カバーの脚部の先端が係合溝内に突入嵌合するように構成されるのが好ましい。このように構成すれば、保護カバーの周囲から制御基板の裏面側に対する不正アクセスを確実に防止できる。
【０００９】
【発明の実施の形態】
以下、図面を参照して本発明の好ましい実施形態について説明する。本発明に係る制御基板保護構造を有したスロットマシンの全体的な構成について、図１〜図４を参照してまず説明する。このスロットマシンは、前面が矩形状に開口した略直方体箱状の本体筐体１１内にスロット遊技装置を配設して構成されるスロットマシン本体１と、本体筐体１１の右側端部にスライドヒンジ３，３を介して開閉揺動自在に取り付けられた前扉２とから構成される。
【００１０】
本体筐体１１内に配設されるスロット遊技装置としては、外部から電力供給を受けて内部装置に必要な電力を供給する電源ボックス１２、図柄が描かれた三つのリール１３ａ，１３ｂ，１３ｃを回転・停止させるリール装置１３、遊技者の操作に応じてリール装置の回転・停止制御や遊技制御を行うためのメイン制御基板１４、メイン制御基板１４からの指令に基づいてメダルの払出を行うメダル払出装置１５等があり、それぞれ図３および図４に示すように本体筐体１１内に配設されている。
【００１１】
また、本体筐体１１の前面側に形成される矩形状開口の内周縁（上下左右内周縁）には、図４に示す上下左右のガード板１６，１７，１８，１９がそれぞれ先端部が前方外方に突出して固設されている。なお、左ガード板１８の後方に突出する突起部１８ａ，１８ａにスライドヒンジ３，３が取り付けられる。また、右ガード板１９の前縁には前扉２を閉止状態でロック保持するために用いられるロック爪１９ａ，１９ａおよび前扉２を閉止状態で支持する受け部材１９ｂが設けられている。これらガイド板１６，１７，１８，１９はいずれも金属板から構成される。
【００１２】
図５およびこの図の矢印ＶＩ−ＶＩに沿った断面を示す図６から分かるように、上下のガード板１６，１７の端部には折り曲げ部１６ａ，１７ａが設けられており、左右のガード板１８，１９の上下端部がこの折り曲げ部１６ａ，１７ａと接合するようにして上下左右のガード板１６，１７，１８，１９がそれぞれ先端部が前方外方に突出して固設されている。これにより、各ガード板１６，１７，１８，１９の端部接合部に隙間がなくなり、外部からの不正アクセスを防止することができる。なお、右ガード板１９の前縁１９ｃは右外方に膨出するように絞り加工により形成されている。
【００１３】
前扉２は、図７に分解した状態で示すように、本体筐体１１の右側端にスライドヒンジ３，３によりヒンジ結合され、前面側矩形状開口を開閉自在に覆う形状のフロントマスク２０と、フロントマスク２０の上部の上パネル取付枠部２１に着脱自在に取り付けられた上パネルアセンブリ３０と、フロントマスク２０の中央部に矩形枠状に形成された表示部２２における矩形状の表示開口２２ａを後面側から覆って取り付けられた中パネルアセンブリ４０と、フロントマスク２０の下部の下パネル取付部２４に着脱自在に取り付けられた下パネルアセンブリ５０と、フロントマスク２０における下パネル取付部２４の下側に形成された受け皿取付部２５に取り付けられた受け皿アセンブリ６０とから構成される。
【００１４】
フロントマスク２０における表示部２２と下パネル取付部２４との間に、前方に突出して操作部２３が設けられている。この操作部２３における略水平に延びた操作部上面２３ａには、ＯＮＥ−ＢＥＴボタン９１ａ、ＭＡＸ−ＢＥＴボタン９２ａ、メダル投入ガイド８０が図示のように配設され、操作部上面２３ａの前端縁に繋がって垂直下方に延びた操作部前面２３ｂには、精算ボタン９３ａ、スタートレバー装置７０、三つのリール１３ａ，１３ｂ，１３ｃに対応した三つのストップボタン９４ａ、リジェクトボタン９５ａが図示のように配設されている。なお、図３に示すように、操作部２３の裏側には、ＯＮＥ−ＢＥＴボタン装置９１、ＭＡＸ−ＢＥＴボタン装置９２、精算ボタン装置９３，ストップボタン装置９４およびリジェクトボタン装置９５が取り付けられており、上記各ボタンはこれら装置に取り付けられて操作部２３の外面側に位置している。
【００１５】
フロントマスク２０における下パネル取付部２４および受け皿取付部２５の裏面側には、リジェクトシュート９６ａ、メダル払出シュート９６ｂが設けられており、両シュート９６ａ，９６ｂの内部通路は下部で交わって前面側に開口したメダル払出口２５ａに連通している。リジェクトボタン９５ａが押されると、メダル投入ガイド８０から投入されたが曲がり、汚れなどにより内部のセレクタ内に滞留したメダルがリジェクトシュート９６ａに排出され、リジェクトシュート９６ａ内を通ってメダル払出口２５ａから外部に排出される。また、メダル払出シュート９６ｂに設けられたメダル受け口９６ｃは前扉２が閉止された状態でメダル払出装置１５のメダル払出スロット１５ａと対向し、メダル払出装置１５によりメダル払出スロット１５ａから排出された賞品としてのメダルがメダル受け口９６ｃを通ってメダル払出シュート９５ｂ内に排出され、メダル払出口２５ａから外部に払い出される。
【００１６】
下パネル取付部２４の裏面にはさらに、下パネル取付部２４の前面に取り付けられる蛍光灯用のインバータ９７が取り付けられている。また、受け皿取付部２５の裏面には一対の下部スピーカ９８，９８が取り付けられ、スピーカ前面に対向して多数の小孔からなるスピーカ口２５ｂ，２５ｂが形成されている。
【００１７】
フロントマスク２０における裏側右端部に上下に延びて施錠装置１００が設けられており、前扉２をスロットマシン本体１の前面に閉止させた状態で施錠装置１００が右ガード板１９のロック爪１９ａと係合してロック保持するようになっている。
【００１８】
次に、上記構成の前扉２において、上パネル取付枠部２１の構造およびここに着脱自在に取り付けられる上パネルアセンブリ３０について図８〜図１１を参照して説明する。なお、図１０は図９の矢印Ｘ−Ｘに沿った断面を示し、図１１は図１０の矢印ＸＩ−ＸＩに沿った断面を示す。上パネル取付枠部２１は矩形枠状に形成されて矩形状の枠部開口２１ａを有し、この枠部開口２１ａを前面側から覆うように上パネルアセンブリ３０が着脱自在に取り付けられる。上パネルアセンブリ３０を構成部品に分解して図６に示している。この上パネルアセンブリ３０は、上パネル取付枠部２１に着脱自在に取り付けられる上パネル枠３１と、上パネル枠３１の裏面に取り付けられる上パネルベース３４と、上パネルベース３４の裏面に取り付けられる表示装置３６とから構成される。
【００１９】
上パネル枠３１は、中央に位置する表示用開口３１ａと、左右下部に位置するスピーカ用開口３１ｂ，３１ｂと、上部中央に位置する第１飾り用凹部３１ｃと、上部左右に位置する第２飾り用凹部３１ｄと、これら第２飾り用凹部３１ｄの内側に位置して円弧状に形成された第３飾り用凹部３１ｅとを有して樹脂一体成型により形成されている。第１飾り用凹部３１ｃの底面にはランプ、ＬＥＤ等の発光体を有する第１ランプ基板３２ａが取り付けられ、この第１ランプ基板３２ａが取り付けられた第１飾り用凹部３１ｃを覆って第１飾りレンズ３２ｂが取り付けられている。また、第２および第３飾り用凹部３１ｄ，３１ｅの底面は開口しており、これら開口を裏面側から覆って第２ランプ基板３３ａが取り付けられており、このように第２ランプ基板３３ａが取り付けられた第２および第３飾り用凹部３１ｄ，３１ｅを前面側からそれぞれ覆って第２および第３飾りレンズ３３ｂ，３３ｃが取り付けられている。これら第１〜第３飾りレンズ３２ｂ，３３ｂ，３３ｃは所定の色を有した半透明樹脂からなり、第１および第２ランプ基板３２ａ，３３ａ上のランプ、ＬＥＤの発光を受けて所定の色で発光するランプ飾りを構成する。
【００２０】
上パネルベース３４はベース枠３４ａによりパネル板３４ｂを保持して構成され、上パネル枠３１の表示用開口３１ａおよび左右のスピーカ用開口３１ｂ，３１ｂを裏面側から覆って上パネル枠３１に結合して取り付けられる。この結合は、ベース枠３４ａの周囲に設けられた結合部３４ｃにおいて上パネル枠３１にビス止めして行われる。ベース枠３４ａの左右下部にはそれぞれスピーカ取付部３４ｄが形成されており、このスピーカ取付部３４ｄの底面開口を後側から覆ってスピーカ３５ａが取り付けられ（なお、図９〜図１１においてはスピーカ３５ａを未装着状態で示している）、スピーカ取付部３４ｄの前面開口を覆って保護網３５ｂが取り付けられている。上パネルベース３４は上パネル枠３１の裏面に取り付けられた状態で、上パネルベース３４の前面（パネル板３４ｂ）が表示用開口３１ａから前面に対向し、異物侵入防止用の保護網３５ｂにより覆われたスピーカ取付凹部３４ｄがスピーカ用開口３１ｂから前面に対向する。なお、図９に示すように、上パネルベース３４の後面にはハーネス（内部配線）を係止保持するハーネス係止爪３４ｅがベース枠３４ａと一体に形成されている。
【００２１】
表示装置３６は、前面側に液晶ディスプレイ３８を有して上パネルベース３４の裏面に取り付けられる表示枠３７と、表示枠３７の後面に結合されたサブ基板アセンブリ３９とから構成される。なお、サブ基板アセンブリ３９は基板ケース３９ｂ内に液晶表示制御用のサブ基板３９ａを配設して構成される。このとき、図９に示すように、サブ基板３９ａ上に取り付けられたＲＯＭに対向する位置においてケース内面に内方に突出してこのＲＯＭに近接するＲＯＭ抑え３９ｃが形成されており、このＲＯＭ抑え３９ｃによりＲＯＭの不正交換を防止している。
この表示装置３６が上パネルベース３４の裏面に取り付けられた状態で液晶ディスプレイ３８の表示が上パネル枠３１の表示用開口３１ａを通して見えるように、上パネルベース３４を構成するパネル板３４ｂにおける少なくとも液晶ディスプレイ３８の画面に対向する部分が透明である。
【００２２】
ここで、表示装置３６を構成する液晶ディスプレイ３８、サブ基板３９ａ等は振動を嫌う構成であるため、前扉２の開閉時の振動が表示装置３６に伝達するのを防止するために、ゴムワッシャによる取付構造を用いている。図９の矢印ＸＩＩ−ＸＩＩに沿った断面を示す図１２に示すように、表示装置３６は表示枠３７の側部に形成された取付アーム３７ａを上パネルベース３４の裏面に突出成形された取付ボス３４ｆにネジ結合して取り付けられる。このとき、図１３に示すような形状をしたゴム材料製の第１および第２ゴムワッシャ３７１，３７２を挟んで取付ネジ３７３により結合して取り付けられる。
【００２３】
第１ゴムワッシャ３７１はネジ挿入孔３７１ａ、フランジ部３７１ｂおよび円筒部３７１ｃを有して構成される。第２ゴムワッシャ３７２は嵌入孔３７２ａ、フランジ部３７２ｂ、円筒部３７２ｃを有して構成され、円筒部３７２ｃに嵌合溝３７２ｄが形成されている。表示枠３７のアーム部３７ａの取付孔内に嵌合溝３７２ｄを嵌合させて第２ゴムワッシャ３７２が取り付けられ、この第２ゴムワッシャ３７２の嵌入孔３７２ａ内に円筒部３７１ｃを嵌入させて第１ゴムワッシャ３７１が取り付けられ、この状態で第１ゴムワッシャ３７１のネジ挿入孔３７１ａ内に取付ネジ３７３を挿入し、このネジを取付ボス３４ｆのネジ孔に螺合させて表示装置３６（表示枠３７）が上パネルベース３４の後面に取り付けられる。このため、表示枠３７は第１および第２ゴムワッシャ３７１，３７２を介して上パネルベース３４に取り付けられることになり、前扉２の開閉時等に発生する振動が第１および第２ゴムワッシャ３７１，３７２により吸収されて表示装置３６に伝達するのが防止される。
【００２４】
以上説明したように、上パネルアセンブリ３０は、上パネル枠３１に第１および第２ランプ基板３２ａ，３３ａと第１〜第３飾りレンズ３２ｂ，３３ｂ，３３ｃとスピーカ３５ａおよび保護網３５ｂとを取り付け、この上パネル枠３１の裏面に上パネルベース３４を取り付け、さらに上パネルベース３４の裏面に表示装置３６を取り付けて構成される。このため、上パネルアセンブリ３０を独立して組み立てた後、これをフロントマスク２０の上パネル取付枠部２１に取り付ければ良く、組み立ておよび交換が容易である。また、上パネルアセンブリ３０を全体としてデザイン変更することが容易であり、且つ上パネル枠３１および飾りレンズのみをデザイン変更することも容易であるため、フロントマスク２０は共通で上パネルアセンブリ３０のみを変更して、種々のデザイン変更に対応可能であるという利点を有する。
【００２５】
なお、図９および図１０に示すように、上パネルアセンブリ３０が取り付けられる上パネル取付枠部２１の後面側の上端縁内面に沿ってフロントマスク上板金２６が取り付けられている。このフロントマスク上板金２６は金属板材を後方に開口する断面Ｕ字状に形成して構成され、前扉２がスロットマシン本体１に閉止して取り付けられた状態で、本体筐体１１の上側内周縁に取り付けられた上ガード板１６の前端がフロントマスク上板金２６のＵ字状開口内に突出する。これにより上ガード板１６とフロントマスク上板金２６とによりラビリンス構造が形成され、前扉２の閉止状態でスロットマシン本体１と前扉２との上端部隙間ＣＬＵから針金等による内部への不正アクセスをこのラビリンス構造により撃退防止することができる。
【００２６】
次に表示部２２の後面に取り付けられる中パネルアセンブリ４０の構成について、図１４〜図１８を参照して説明する。なお、図１７は図１の矢印ＸＶＩＩ−ＸＶＩＩに沿った断面を示し、図１８は図１の矢印ＸＶＩＩＩ−ＸＶＩＩＩに沿った断面を示す。中パネルアセンブリ４０は、表示部２２の矩形開口２２ａを後面側から覆う透明矩形板状の中パネル４１と、この中パネル４１を後面側から覆って表示部２２の後面に取り付けられる矩形枠状のランプハウス部材４２とから構成される。
【００２７】
ランプハウス部材４２の上枠部４２ａには前面側に開口した第１ランプハウス４２１が形成されており、第１ランプハウス４２１の後面にはカバー取付開口４２１ａが形成されている。このカバー取付開口４２１ａを後面側から覆って蛍光灯カバー４３が着脱自在に取り付けられるようになっており、蛍光灯カバー４３の前面には蛍光灯管４３ａが横方向に延びて取り付けられ、蛍光灯カバー４３の後面に設けられた取付ボス４３ｂにインバータ４４が取り付けられている。この蛍光灯カバー４３は図示しない係止爪をカバー取付開口４２１ａ内の係合部に係合させて着脱されるようになっている。
【００２８】
但し、このように単に着脱する構成では、着脱時に蛍光灯カバー４３を誤って落とし、その前面に取り付けられた蛍光灯管４３ａを破損させるおそれがある。
このため、カバー取付開口４２１ａの下端に係止溝４２１ｂを形成し、蛍光灯カバー４３はその下端に設けられた係止突起４３ｄを係止溝４２１ｂに係止させた状態で、図１６に示すように、蛍光灯カバー４３を矢印Ａ方向に回動させてカバー取付開口４２１ａを覆う位置に取り付けるようにしても良い。このとき蛍光灯カバー４３の上端に設けられたロック爪４３ｃがカバー取付開口４２１ａの上部内面に形成されたロック溝（図示せず）と係合し、蛍光灯カバー４３はカバー取付開口４２１ａを覆う位置でロック保持される。
【００２９】
この状態では蛍光灯管４３ａは第１ランプハウス４２１内に位置し、蛍光灯管４３ａを点灯させることにより、中パネル４１における第１ランプハウス４２１の前面側開口が対向する部分を照明する。なお、中パネル４１におけるこのように照明される部分には所定の図柄が設けられており、この図柄を照明する。
【００３０】
このように蛍光灯カバー４３がカバー取付開口４２１ａを覆って上枠部４２ａに取り付けられた状態から、ロック爪４３ｃを指等で押し下げてロック溝との係合を解除して、蛍光灯カバー４３を図１６における矢印Ｂ方向に回動させれば、蛍光灯カバー４３を簡単に取り外すことができる。これにより、蛍光灯管４３ａの交換を簡単に行うことが可能である。なお、ランプハウス部材４２の上枠部４２ａの後面左右には、ハーネス（内部配線）を係止保持するハーネス係止爪４２１ｃがランプハウス部材４２と一体に形成されている。
【００３１】
ランプハウス部材４２の左枠部４２ｂ（スロットマシンの前方から見て左側となる枠部）には、図１３に示すように、前面側に開口した第２ランプハウス４２２が形成されており、第２ランプハウス４２２の後面にはランプ挿入開口４２２ａが形成されている。第２ランプハウス４２２の後面を覆うようにして左枠部４２ｂにランプ基板４５が取り付けられ、このランプ基板４５に取り付けられた複数のランプ４５ａはランプ挿入開口４２２ａを通って第２ランプハウス４２２内に突出する。この状態でランプ４５ａを点灯させることにより、中パネル４１における第２ランプハウス４２２の前面側開口が対向する部分を照明する。中パネル４１におけるこのように照明される部分には所定の図柄が設けられており、この図柄を照明する。なお、左枠部４２ｂの左側面には、第２ランプハウス４２２内においてランプ４５ａにより発生した熱を逃がすための放熱開口４２２ｂが形成されている。
【００３２】
ランプハウス部材４２の右枠部（スロットマシンの前方から見て右側となる枠部）４２ｃの後面にはランプ制御基板４８が取り付けられ、このランプ制御基板４８を後面側から覆ってランプ制御基板カバー４９が取り付けられている。このようにランプ制御基板４８をランプ制御基板カバー４９により覆うことにより、ランプ制御基板４８の上に配設された電子部品等に対する外部からの不正アクセスを確実に防止できる。なお、ランプ制御基板カバー４９の後面上部には、ハーネス（内部配線）を係止保持するハーネス係止爪４９ａがランプ制御基板カバー４９と一体に形成されている。
【００３３】
ランプハウス部材４２の下枠部４２ｄの後面には中央制御基板４６が取り付けられ、この中央制御基板４６を後面側から覆って中央制御基板カバー４７が取り付けられている。このように中央制御基板４６を中央制御基板カバー４７により覆うことにより、中央制御基板４６の上に配設された電子部品等に対する外部からの不正アクセスを確実に防止できる。このような不正アクセス防止効果を高めるため、図１８に示すように、下枠部４２ｄに係合溝４２５が形成され、中央制御基板カバー４７の脚部４７ｄを係合溝４２５内に突入嵌合させる構成を採用している。
【００３４】
なお、中央制御基板カバー４７は透明樹脂材料等から形成され、中央制御基板４６に設けられたコネクタ４６ｂを除いて覆う形状である。このように透明であるため、中央制御基板４６に対する不正アクセスがなされて、例えば、不正な電子部品が取り付けられたような場合でも、カバー４７を通してこのような不正効果を簡単に発見でき、迅速な対応処置が可能である。また、中央制御基板カバー４７の後面端部には、ハーネス（内部配線）を係止保持するハーネス係止爪４７ｂが中央制御基板カバー４７と一体に形成されている。
【００３５】
この中央制御基板４６には、スロット遊技の当たり発生確率を段階的に設定変更する設定ボタン４６ａが設けられている。このため、中央制御基板カバー４７には設定ボタン４６ａと対向する部分に設定ボタン開口４７ａが形成されている。この部分の構成を図１８（Ｂ）および図２０に詳しく示しており、設定ボタン開口４７ａを開閉自在に覆って開閉蓋４７１がヒンジ結合されて取り付けられている。なお、図１８（Ｂ）は図２０（Ｂ）の矢印ＸＶＩＩＩ−ＸＶＩＩＩに沿った断面を開閉蓋４７１を取り付けた状態で示す。この開閉蓋４７１はヒンジ結合部に設けられたねじりバネ（図示せず）により閉止方向に付勢されており、常時は設定ボタン開口４７ａを閉止した位置にある。
【００３６】
この開閉蓋４７１は、図１８（Ｂ）に示すように、中央制御基板カバー４７の外面（後面）に対して設定ボタン開口４７ａ内に入り込んだ位置に設けられており、外部から不正にアクセスして開閉蓋４７１が開放されて、設定ボタン４６ａが不正操作されることを防止している。設定ボタン開口４７の側部に凹部４７ｃが設けられており、設定ボタン４６ａを正規に操作して設定変更を行うときには、凹部４７ｃに指を入れて開閉蓋４７１を開放できる。
【００３７】
図１７に示すように、フロントマスク２０の側縁内面に沿ってフロントマスク横板金２７が取り付けられている。このフロントマスク横板金２７は金属板材を断面Ｌ字状に形成して構成され、前扉２がスロットマシン本体１に閉止して取り付けられた状態で、本体筐体１１の左側内周縁に取り付けられたガード板１８の前端１８ｂがフロントマスク横板金２７と横方向に対向する位置まで突出する。
これによりガード板１８とフロントマスク横板金２７とによりラビリンス構造が形成され、前扉２の閉止状態でスロットマシン本体１と前扉２との側端部隙間ＣＬＳから針金等による内部への不正アクセスをこのラビリンス構造により撃退防止することができる。
【００３８】
次に、操作部２３の構造について説明する。前述のように操作部２３の上面２３ａに設けられたＯＮＥ−ＢＥＴボタン装置９１は上面パネルから内方に突出して配設されており、遊技者がＯＮＥ−ＢＥＴボタン９１ａを１回押す毎に投入メダル１個に対応したゲーム設定が行われる。スロットマシンでは１回のゲームに対して複数個（例えば３個）のメダルに対応したゲーム設定が可能であり、このように最大設定可能なメダル数までＯＮＥ−ＢＥＴボタン９１ａを繰り返し操作して設定することが可能である。操作部上面２３ａにおけるＯＮＥ−ＢＥＴボタン装置９１の右隣に設けられたＭＡＸ−ＢＥＴボタン装置９２も上面パネルから内方に突出して配設されており、遊技者がＭＡＸ−ＢＥＴボタン９２ａを一回操作するだけで、最大設定可能メダル数に対応するゲーム設定がなされる。
【００３９】
操作部上面２３ａの右側に設けられたメダル投入ガイド８０は、図２１に拡大して示すように、上面側に開口するとともに前後に延びた半円弧状のガイド溝８３と、このガイド溝８３の後端部に略垂直に起立して設けられたストッパ壁８４と、ガイド溝８３におけるストッパ壁８４の下部に沿って垂直に貫通して形成されたスリット状のメダル投入口８５とを備えて構成される。このメダル投入ガイド８０におけるガイド溝８３を形成する左右の円弧状ガイド壁８１，８２において、左側のガイド壁８１が右側のガイド壁８２より高く形成されている。メダル投入口８５から複数のメダルを連続投入するときには、複数のメダルを重ね合わせて起立させた状態でガイド溝８３上に置き、ストッパ壁８４に当接するメダルから順次メダル投入口８５内に投入させる。このとき、メダルがガイド溝８３の上をスムーズに移動するように、ガイド溝８３には前後に延びる複数の小溝８３ａが形成されている。
【００４０】
このような構成のメダル投入ガイド８０によれば、左側のガイド壁８１が高くて右側のガイド壁８２が低いので、メダルを右手で持って斜め右側からガイド溝８３上に載せるときに、右側のガイド壁８２にメダルが当たって落とすおそれが無く、且つ高い方の左側ガイド壁８１によりメダルを確実に受け止めることができる。また、メダルを掴んだ指が右側のガイド壁８２に当たることなく、メダルをガイド溝８３上で前方に移動させることができる。このため、メダル投入口からメダルを連続して投入する動作をスムーズに且つ違和感なく行える。
【００４１】
このようにＯＮＥ−ＢＥＴボタン装置９１、ＭＡＸ−ＢＥＴボタン装置９２、メダル投入ガイド８０が設けられる操作部２３の上面２３ａは、図２２に示すように、操作部前面パネル２３ｂと一体に形成された操作部上面パネル２４０と、この操作部上面パネル２４０の上に重ねて取り付けられた透明のカバーパネル２３０とから構成される。操作部上面パネル２４０には、ＯＮＥ−ＢＥＴボタン装置９１およびＭＡＸ−ＢＥＴボタン装置９２を取り付けるための取付開口２４１，２４２と、メダル投入ガイド８０から投入されたメダルを通過させるためのメダル投入用開口２４３が設けられ、さらに、遊技補助装置（例えば、補助操作ボタン装置、メダル貸出用カード操作装置すなわちＣＲ装置の操作装置等）を取り付けるための補助開口２４５が設けられている。
【００４２】
遊技補助装置は全てのスロットマシンに取り付けられるものではなく、必要に応じて取り付けられる装置であり、遊技補助装置を使用しないときには、図１８および図２３に示すように、補助カバー２５０を取り付けてこの補助開口２４５を塞ぐようになっている。補助開口２４５の内部には保持リブ２４６，２４６が設けられており、補助カバー２５０は保持リブ２４６の上に載置するとともに内部においてビス止め固定されて取り付けられる。
【００４３】
カバーパネル２３０はこのように補助開口２４５を覆って補助カバー２５０が取り付けられた状態の操作部上面パネル２４０の上に固定されて取り付けられるものであり、ＯＮＥ−ＢＥＴボタン装置９１およびＭＡＸ−ＢＥＴボタン装置９２を取り付けるための取付開口２３１，２３２と、メダル投入ガイド８０から投入されたメダルを通過させるためのメダル投入用開口２３３が設けられている。
但し、補助開口２４５およびその周囲を覆うようになっており、補助開口２４５と補助カバー２５０との間の隙間から針金等を挿入して不正操作が行われることを確実に防止している。また、カバーパネル２３０と上面パネル２４０との間に、カバーパネル２３０とほぼ同一形状のシートを挟んで配設しても良い。これにより、このシートに例えば、ゲーム操作等のインストラクションを表示したりできるとともに、このシートにより外部からの不正操作をより一層防止できる。
【００４４】
図１９に示すように、補助開口２４５に遊技補助装置２６０（ここでは、補助操作ボタン装置を例示している）を取り付けるときには、この遊技補助装置２６０の操作ボタン部を上面側に露出させる開口２３６を有したカバーパネル２３５が取り付けられる。
【００４５】
次に、操作部２３の前面２３ｂに設けられた装置類について説明する。前面２３ｂの左端に設けられた精算ボタン装置９３は、精算ボタン９３ａを押すと現在の当たりメダル数に対応するメダルがメダル払出装置１５からメダル払出シュート９６ｂに払い出され、メダル払出口２５ａから外部に払い出される。スタートレバー装置７０はノブ７１を操作するとゲームがスタートするようになっており、この構成は以下に説明する。なお、三つのストップボタン９４ａが押し操作されると対応するリール１３ａ，１３ｂ，１３ｃの回転が停止する。また、リジェクトボタン９５ａが押されるとメダル投入ガイド８０から投入されて内部に滞留したメダルがリジェクトシュート９６ａに排出され、メダル払出口２５ａから外部に排出される。
【００４６】
ここでスタートレバー装置７０の構成および作動を、図２５〜図２８を参照して以下に説明する。スタートレバー装置７０は、図２５および図２６に示すように、操作部２３の前面２３ｂを構成する前面パネルにネジ結合されるメインケース７２と、メインケース７２の後部にネジ結合されて取り付けられたカバーケース７３とからなるケース内に操作レバー７１を図示ように配設して構成される。
なお、メインケース７２は外面に操作部前面２３ｂにネジ結合するための結合ネジ７２ｄが形成された円筒状部材からなり、前方に開口して第１凹部７２ａが形成され、後面に開口して第２凹部７２ｂが形成されている。カバーケース７３は中空円筒状に形成されてメインケース７２の後部にネジ結合されている。
【００４７】
操作レバー７１は、球状の操作ノブ７１ａと、この操作ノブ７１ａに繋がるシャフト７１ｂと、シャフト７１ｂの根本部（操作ノブ７１ａの側）に取り付けられたハブ７１ｃとを有して構成され、先端に反射部７１ｄが設けられている。シャフト７１ｂはメインケース７２の第１凹部７２ａから貫通孔７２ｃを通って第２凹部７２ｂ内に突出して配設され、シャフト７１ｂの上に摺動自在に配設されたワッシャ７５ａが第１凹部７２ｂ内に位置する。これらハブ７１ｃとワッシャ７５ａの間にバネ７５ｂが配設されている。また、第２凹部７２ｂ内に突出するシャフト７１ｂの先端には受け部材７４が取り付けられている。
【００４８】
このような構成のスタートレバー装置７０では、バネ７５ｂの付勢によりワッシャ７５ａが第１凹部７２ａ内に着座してハブ７１ｃを外方に押し出し、受け部材７４は第２凹部７２ｂ内に着座する。この結果、操作レバー７１を操作しないときにはシャフト７１ｂが起立して操作ノブ７１ａが図２５および図２６に示す中立位置に位置するとともに、外方に突出した突出位置に位置する。そして、このような中立位置に位置した状態から操作レバー７１を全方位方向に傾動操作可能であり、且つこれを内方に押し込む操作も可能である。
【００４９】
カバーケース７３の後端にはキャップ７３ａが嵌合して取り付けられ、その内部に発光素子７６、受光素子７７、集光レンズ７６ａ，７６ｂ、発光素子７６および受光素子７７に繋がる配線用のコネクタ７８が図示のように配設されている。コネクタ７８を介して送られる電気により発光素子７６から信号光が発光されると、この信号光は図２６において一点鎖線で示すように集光レンズ７６ａにより集光されて反射部７１ｄに入射するとともにここで反射される。このように反射された信号光は集光レンズ７６ｂにより集光されて受光素子７７により受光される。受光素子７７はこのように反射された信号光を受光すると、受光に応じて発生する電気信号をコネクタ７８を介して制御装置に送る。図２５および図２６に示す中立状態（操作レバー７１が中立位置且つ突出位置に位置する状態）では、発光素子７６からの信号光が反射部７１ｄで反射されて受光素子７７に入射するように構成されており、スロットマシンの内部に配設された制御装置（メイン制御基板１４）は受光素子７７から信号光を受光していることを示す電気信号が送られている限り、遊技をスタートさせずに待つ制御を行う。
【００５０】
図２６に示す中立状態から遊技者が操作ノブ７１ａを操作して、図２７に矢印で示すように操作レバー７１を傾動させると、反射部７１ｄの向きが変化する。
このため、発光素子７６からの信号光は反射部７１ｄで反射されたときに受光素子７７の方向とは異なる方向に反射し、受光素子７７に信号光が入射しなくなる。このため、受光素子７７から制御装置に信号光を受光しなくなったことを示す電気信号が送られ、制御装置は遊技をスタートさせる制御を行う。なお、このとき操作レバー７１の傾動量に応じて受光素子７７の受光量が低下するが、この受光量が所定割合だけ低下したときに制御装置は遊技をスタートさせる制御を行うようになっており、操作レバー７１の小さな傾動では遊技をスタートさせることがないように制御される。すなわち、操作レバー７１の傾動に対して所定角度範囲（例えば、１０度程度までの範囲）内では遊技をスタートさせることがない不感帯を設定している。
【００５１】
また、中立状態から操作ノブ７１ａが、図２８に矢印で示すように、軸方向内方に押されると、ハブ７１ｃとワッシャ７５ａの間隔に対応する距離だけ操作レバー７１がバネ７５ｂの付勢に抗して押し込まれて移動する。中立状態では操作レバー７１は突出位置に位置しているが、スロットマシンの製造、搬送段階等において操作レバー７１が何かに当たって内方に押されると、この操作レバー７１はバネ７５ｂの付勢に抗して突出位置から内方に移動して操作レバー７１に作用する外力を回避し、スタートレバー装置７０が損傷することを防止する。
【００５２】
なお、操作レバー７１が起立方向内方に押圧されて突出位置から起立方向内方に移動されると、反射部７１ｄの位置が変化するため、発光素子７６からの信号光は反射部７１ｄで反射されたときに受光素子７７の中心から外れた位置に入射し、受光素子７７に入射する信号光量が少なくなる。このため、受光素子７７から制御装置に信号光量が小さくなったことを示す電気信号が送られるが、本スロットマシンでは制御装置はこのような信号光量の変化に対しては遊技をスタートさせる制御を行なわせない。これにより、遊技中において遊技者の体の一部が操作レバー７１を誤って押し込んだようなときにゲームが意図せずに開始するようなことを防止するようにしている。
【００５３】
但し、これとは逆に、操作レバー７１が起立方向内方に押圧されて突出位置から起立方向内方に移動されて、受光素子７７から制御装置に信号光量が小さくなったことを示す電気信号が送られると、制御装置は遊技をスタートさせる制御を行うようにしても良い。もしくは操作レバー７１が起立方向内方に押圧されて突出位置から起立方向内方に移動されたときに、受光素子７７に入射する信号光量の低下量が十分に大きくなるような構成として、制御装置はこの信号光量低下に対応する電気信号を受けて遊技をスタートさせる制御を行うようにしても良い。
このようにすれば、遊技者は操作レバー７１を傾動させるだけでなく指や手のひらで操作ノブ７１ａを押すだけでもゲームを開始することができ、レバー操作がより行いやすくなる。
【００５４】
次に、フロントマスク２０の下パネル取付部２４に着脱自在に取り付けられる下パネルアセンブリ５０について、図２９および図３０を参照して説明する。なお、図３０は図１の矢印ＸＸＸ−ＸＸＸに沿った断面を示す。下パネルアセンブリ５０は、下パネル取付部２４に着脱自在に取り付けられる矩形枠状の下パネル枠５１と、下パネル枠５１の後面に取り付けられる透明材料製の下パネルカバー５５と、下パネルカバー５５の後面に取り付けられる図柄が設けられた半透明材料製の下パネルベース５６とからなる。下パネル枠５１は矩形状のパネル開口５１ａを有し、下パネルカバー５５および下パネルベース５６が重なった状態でパネル開口５１ａを後面側から覆う。
【００５５】
このように下パネルアセンブリ５０が取り付けられる下パネル取付部２４は、左右端部において上下に延びる凹部からなるランプ取付凹部２４ｃと、これら左右のランプ取付凹部２４ｃの間に位置する凹部からなる中央凹部２４ａとを有し、下パネルアセンブリ５０はこれら両凹部２４ａ，２４ｃを覆って下パネル取付部２４に着脱自在に取り付けられる。中央凹部２４ａには蛍光灯取付リブ５７が設けられており（図７、図１８および図１９参照）、ここに下パネル照明用蛍光灯（図示せず）が取り付けられ、この下パネル照明用蛍光灯を点灯させることにより、中央凹部２４ａの前面の中央空間２４ｂ内を照明し、下パネルベース５６の図柄を後面側から照明する。中央凹部２４ａにはこの蛍光灯用のインバータ５８も取り付けられている。
【００５６】
下パネル枠５１の上下端には後方に突出した係止突起５１ｂが形成されており、この係止突起５１ｂを下パネル取付部２４（中央凹部２４ａの上下端）に形成された係止凹部（図示せず）に係合させて下パネル枠５１が下パネル取付部２４に着脱自在に取り付けられる。
【００５７】
下パネル枠５１の左右端部には飾り凹部５１ｃが上下に延びて形成され、この飾り凹部５１ｃに飾りレンズ５２が取り付けられている。なお、飾り凹部５１ｃの底面には上下に延びるランプ開口５１ｄが形成されている。下パネル枠５１が下パネル取付部２４に取り付けられた状態で、飾り凹部５１ｃの部分が左右のランプ取付凹部２４ｃを覆う。ランプ取付凹部２５ｃ内にはランプ基板５３が配設されており、ランプ基板５３上の発光体（ランプ、ＬＥＤ等）からの発光がランプ開口５１ｄを通って飾りレンズ５２を照明して飾り発光させるようになっている。なお、このときランプ基板５３の発光体からの発光が中央空間２４ｂ内に漏れ出さないように、下パネル枠５１には飾り凹部５１ｃの内側端に沿って仕切壁５１ｅが設けられている。
【００５８】
本スロットマシンにおいては、フロントマスク２０の形状を変更することなく、下パネルアセンブリのみを変更することができるようになっており、このように変更された下パネルアセンブリ１５０を取り付けて構成される例を図３１に示している。この下パネルアセンブリ１５０も、下パネル取付部２４に着脱自在に取り付けられる矩形枠状の下パネル枠１５１と、下パネル枠１５１の後面に取り付けられる透明材料製の下パネルカバー１５５と、下パネルカバー１５５の後面に取り付けられる図柄が設けられた半透明材料製の下パネルベース１５６とからなる。下パネル枠１５１は中央凹部２４ａおよび左右のランプ取付凹部２４ｃを含む下パネル取付部２４のほぼ全面を覆う大きさの矩形状のパネル開口１５１ａを有し、下パネルカバー１５５および下パネルベース１５６が重なった状態でパネル開口１５１ａを後面側から覆う。
【００５９】
このため、図３１から分かるように、下パネルアセンブリ１５０が下パネル取付部２４に取り付けられた状態で、中央凹部２４ａの前面に位置する中央空間２４ｂａが左右両側に広がり、左右のランプ取付凹部２４ｃの前面に形勢される左右空間２４ｃに繋がる。このときには、ランプ取付凹部２４ｃにランプ基板は取り付けられないが、下パネル取付部２４の中央凹部２４ａ上に設けられた蛍光灯取付リブ５７に下パネル照明用蛍光灯（図示せず）が取り付けられ、この蛍光灯により下パネルベース５６の後面前面が照明される。
【００６０】
次に、フロントマスク２０の下部に形成された受け皿取付部２５に取り付けられる受け皿アセンブリ６０について、図３２〜図３６を参照して説明する。なお、図３３は図１における矢印ＸＸＸＩＩＩ−ＸＸＸＩＩＩに沿った断面を示し、図３４は図３３における矢印ＸＸＸＩＶ−ＸＸＸＩＶに沿った断面を示し、図３５は図３４における矢印ＸＸＸＶ−ＸＸＸＶに沿った断面を示し、図３６は図３４における矢印ＸＸＸＶＩ−ＸＸＸＶＩに沿った断面を示す。受け皿アセンブリ６０は、左右に係止アーム部６２を有する受け皿６１と、受け皿６１の左側部に取り付けられた灰皿６５とから構成される。
受け皿６１の左右に設けられた係止アーム６２の先端には、後面側に開口した上下に延びるＵ字状溝６２ａが形成されている。
【００６１】
一方、受け皿取付部２５の左右端には前方に突出するとともに上下に延びる直方体状の係合突起１２５が形成されており、この係合突起１２５がＵ字状溝６２ａ内に嵌入するようにして受け皿６１が受け皿取付部２５に着脱自在に取り付けられる。このとき、図３４〜図３６に示すように、係止アーム６２の内面に係合溝６２ｂおよび係合突起６２ｃが形成されており、係合突起１２５に左右外側に突出して形成された係止突起１２６ａが係合溝６２ｂに嵌入し、且つ係止突起１２６ａに隣接して形成された係合空間１２６ｂ内に係合突起６２ｃが嵌入し、受皿アセンブリ６０が受け皿取付部２５に仮止め状態で係止保持される。
【００６２】
受け皿アセンブリ６０はこのように受け皿取付部２５に仮止めされた状態からフロントマスク２０を裏返して、後面側から受け皿アセンブリ６０がしっかりとネジ止め固定される。このとき、受け皿アセンブリ６０は仮止め保持されているため、フロントマスク２０を裏返してもこれが外れることがなく、受け皿取付作業が容易となる。
【００６３】
なお、図３３に示すように、フロントマスク２０の下端後面に後方に開口する断面Ｕ字状の受容溝１２０が左右方向に延びて形成されており、前扉２がスロットマシン本体１に閉止して取り付けられた状態で、本体筐体１１の下側内周縁に取り付けられた下ガード板１７の前端が受容溝１２０内に突出する。これにより下ガード板１６と受容溝１２０（フロントマスク２０の下端部）とによりラビリンス構造が形成され、前扉２の閉止状態でスロットマシン本体１と前扉２との下端部隙間ＣＬＬから針金等による内部への不正アクセスをこのラビリンス構造により撃退防止することができる。
【００６４】
【発明の効果】
以上説明したように、本発明に係る制御基板保護構造では、制御基板の後面および周囲側面が透明な保護カバーにより覆われているため、外部から筐体内に針金などを挿入しても制御基板の裏面（電子部品が取り付けられ、配線パターンが露出している面）に対する不正アクセスを効果的に防止できる。また、例え、制御基板に対する不正アクセス（例えば、ＲＯＭ交換）がなされても、保護カバーが透明であるため、このような不正アクセスの痕跡を保護カバーを通して簡単に発見でき、迅速な対応処置を講じることができる。
【００６５】
なお、前扉における制御基板が取り付けられる部材に、保護カバーにおける制御基板の周囲側面を囲んで延びる脚部の先端を突入嵌合させる係合溝が形成されており、制御基板の後面を覆って保護カバーが取り付けられたときに、保護カバーの脚部の先端が係合溝内に突入嵌合するように構成されるのが好ましい。このように構成すれば、保護カバーの周囲から制御基板の裏面側に対する不正アクセスを確実に防止できる。
【図面の簡単な説明】
【図１】本発明に係るスロットマシンの正面図である。
【図２】上記スロットマシンの斜視図である。
【図３】上記スロットマシンにおいて前扉を開放して内部構造を示す正面図ある。
【図４】上記スロットマシンにおいてスロットマシン本体を示す斜視図である。
【図５】上記スロットマシン本体の右上部を拡大して示す正面図である。
【図６】上記スロットマシン本体の右上部を、図５の矢印ＶＩ−ＶＩに沿って示す断面図である。
【図７】上記スロットマシンの前扉を示す分解斜視図である。
【図８】上記前扉を構成する上パネルアセンブリを示す分解斜視図である。
【図９】上記前扉における上パネルアセンブリ取付部周辺を後面側から見た背面図である。
【図１０】上記前扉における上パネルアセンブリ部分を、図９の矢印Ｘ−Ｘに沿って示す側面断面図である。
【図１１】上記前扉における上パネルアセンブリ部分を、図１０の矢印ＸＩ−ＸＩに沿って示す平面断面図である。
【図１２】上記前扉における上パネルアセンブリ部分を、図９の矢印ＸＩＩ−ＸＩＩに沿って示す断面図である。
【図１３】上記上パネルアセンブリにおいて表示装置を取り付けるために用いられる振動防止用のゴムワッシャを示す断面図である。
【図１４】上記前扉を構成する中パネルアセンブリを示す分解斜視図である。
【図１５】上記前扉における中パネルアセンブリ取付部周辺を後面側から見た背面図である。
【図１６】上記中パネルアセンブリの上部を蛍光灯カバーを取り外した状態で示す側面図である。
【図１７】上記前扉における中パネルアセンブリ部分を、図１の矢印ＸＶＩＩ−ＸＶＩＩに沿って示す断面図である。
【図１８】上記前扉における中パネルアセンブリ部分を、図１の矢印ＸＶＩＩＩ−ＸＶＩＩＩに沿って示す断面図である。
【図１９】上記前扉における中パネルアセンブリ部分の変形例を、図１の矢印ＸＶＩＩＩ−ＸＶＩＩＩに沿って示す断面図である。
【図２０】上記前扉における中パネルアセンブリおよび操作部を後側から見て示す背面図である。
【図２１】上記前扉の操作部の上面右側に設けられるメダル投入ガイド部分を示す正面図である。
【図２２】上記前扉の操作部を分解して示す斜視図である。
【図２３】上記前扉の操作部上面において、補助カバーが取り付けられる状態を示す斜視図である。
【図２４】上記前扉における操作部を、図１８に示す矢印ＸＸＩＶ−ＸＸＩＶに沿って底面側から見て示す断面図である。
【図２５】上記操作部の前面に配設されるスタートレバー装置の側面図である。
【図２６】上記スタートレバー装置の内部構造を示す断面図である。
【図２７】上記スタートレバー装置の操作レバーが傾動操作された状態を示す断面図である。
【図２８】上記スタートレバー装置の操作レバーが押し込み操作された状態を示す断面図である。
【図２９】上記前扉を構成する下パネルアセンブリを示す分解斜視図である。
【図３０】上記前扉における下パネルアセンブリ部分を、図１の矢印ＸＸＸ−ＸＸＸに沿って示す断面図である。
【図３１】上記前扉における下パネルアセンブリ部分の変形例を、図１の矢印ＸＸＸ−ＸＸＸに沿って示す断面図である。
【図３２】上記前扉の下部の受け皿取付部およびここに取り付けられる受け皿アセンブリを示す分解斜視図である。
【図３３】上記前扉における受け皿アセンブリ部分を、図１の矢印ＸＸＸＩＩＩ−ＸＸＸＩＩＩに沿って示す断面図である。
【図３４】上記前扉における受け皿アセンブリ部分を、図３３の矢印ＸＸＸＩＶ−ＸＸＸＩＶに沿って示す断面図である。
【図３５】上記前扉における受け皿アセンブリ部分を、図３４の矢印ＸＸＸＶ−ＸＸＸＶに沿って示す断面図である。
【図３６】上記前扉における受け皿アセンブリ部分を、図３４の矢印ＸＸＸＶＩ−ＸＸＸＶＩに沿って示す断面図である。
【符号の説明】
１  スロットマシン本体
２  前扉
３  スライドヒンジ
１１  本体筐体
１２  電源ボックス
１３  リール装置      １３ａ〜１３ｃ  リール
１４  メイン制御基板
１５  メダル払出装置
１６〜１９  上下左右のガード板
２０  フロントマスク
２１  上パネル取付枠部
２２  表示部
２３  操作部      ２３ａ  上面      ２３ｂ  前面
２４  下パネル取付部      ２４ａ，２４ｃ  下パネル空間
２５  受け皿取付部
２５ａ  メダル払出口      ２５ｂ  スピーカ口
２６  フロントマスク上板金
２７  フロントマスク横板金
３０  上パネルアセンブリ
３１  上パネル枠
３２ａ  第１ランプ基板      ３２ｂ  第１飾りレンズ
３３ａ  第２ランプ基板      ３３ｂ  第２飾りレンズ
３４  上パネルベース      ３４ｆ  取付ボス
３５ａ  スピーカ
３６  表示装置
３７  表示枠      ３７ａ  取付アーム
３８  液晶ディスプレイ
３９  サブ基板アセンブリ
４０  中パネルアセンブリ
４１  中パネル
４２  ランプハウス部材
４３  蛍光灯カバー
４４  インバータ
４５  ランプ基板
４６  中央制御基板      ４６ａ  設定ボタン
４７  中央制御基板カバー      ４７ａ  設定ボタン開口
４８  ランプ制御基板
４９  ランプ制御基板カバー
５０，１５０  下パネルアセンブリ
５１，１５１  下パネル枠
５２  飾りレンズ
５３  ランプ基板
５５，１５５  下パネルカバー
５６，１５６  下パネルベース
５７  蛍光灯取付リブ
６０  受け皿アセンブリ
６１  受け皿
６２  係止アーム
６５  灰皿
７０  スタートレバー装置
７１  操作レバー      ７１ａ  操作ノブ
７２  メインケース
７３  カバーケース
７４  受け部材
７５ａ  ワッシャ      ７５ｂ  バネ
７６  発光素子
７６ａ，７６ｂ  集光レンズ
７７  受光素子
７８  コネクタ
８０  メダル投入ガイド
８１，８２  左右の円弧状ガイド壁
８３  ガイド溝
８４  ストッパ壁
８５  メダル投入口
９１  ＯＮＥ−ＢＥＴボタン装置      ９１ａ  ＯＮＥ−ＢＥＴボタン
９２  ＭＡＸ−ＢＥＴボタン装置      ９２ａ  ＭＡＸ−ＢＥＴボタン
９３  精算ボタン装置      ９３ａ  精算ボタン
９４  ストップボタン装置      ９４ａ  ストップボタン
９５  リジェクトボタン装置      ９５ａ  リジェクトボタン
９６ａ  リジェクトシュート      ９６ｂ  メダル払出シュート
９７  インバータ
９８  下部スピーカ
１００  施錠装置
２３０  カバーパネル
２４０  操作部上面パネル
２４５  補助開口
２５０  補助カバー
２６０  遊技補助装置（補助操作ボタン装置）
３７１  第１ゴムワッシャ
３７２  第２ゴムワッシャ
３７３  取付ネジ
４２１  第１ランプハウス      ４２１ａ  ハーネス係止爪
４２２  第２ランプハウス
４７１  開閉蓋
【図１】
2005021439.tif 000003
【図２】
2005021439.tif 000004
【図３】
2005021439.tif 000005
【図４】
2005021439.tif 000006
【図５】
2005021439.tif 000007
【図６】
2005021439.tif 000008
【図７】
2005021439.tif 000009
【図８】
2005021439.tif 000010
【図９】
2005021439.tif 000011
【図１０】
2005021439.tif 000012
【図１１】
2005021439.tif 000013
【図１２】
2005021439.tif 000014
【図１３】
2005021439.tif 000015
【図１４】
2005021439.tif 000016
【図１５】
2005021439.tif 000017
【図１６】
2005021439.tif 000018
【図１７】
2005021439.tif 000019
【図１８】
2005021439.tif 000020
【図１９】
2005021439.tif 000021
【図２０】
2005021439.tif 000022
【図２１】
2005021439.tif 000023
【図２２】
2005021439.tif 000024
【図２３】
2005021439.tif 000025
【図２４】
2005021439.tif 000026
【図２５】
2005021439.tif 000027
【図２６】
2005021439.tif 000028
【図２７】
2005021439.tif 000029
【図２８】
2005021439.tif 000030
【図２９】
2005021439.tif 000031
【図３０】
2005021439.tif 000032
【図３１】
2005021439.tif 000033
【図３２】
2005021439.tif 000034
【図３３】
2005021439.tif 000035
【図３４】
2005021439.tif 000036
【図３５】
2005021439.tif 000037
【図３６】
2005021439.tif 000038